(57)【特許請求の範囲】
【請求項１】
光源に対向するよう配置され、複数の溝状の輪帯を備えた光学素子において、
各輪帯は入射面と、出射面に対して略垂直な側面とで構成され、
前記各輪帯の入射面の傾斜角度が、該光学素子の中央の輪帯では小さく、外周側に存在
する輪帯では大きくなるように変化する第一の領域を備え、
該第一の領域の外側に存在する、最も中央側の輪帯の入射面の傾斜角度が、該第一の領
域の最外周の輪帯の入射面の立ち上がり角度よりも小さい光学素子。
【請求項２】
請求項１に記載の光学素子であって、
該出射面にシボ加工が施されていることを特徴とする光学素子。
【請求項３】
請求項１または２に記載の光学素子であって、
輪帯の断面が直線で構成されていることを特徴とする光学素子。
【請求項４】
請求項１から３のいずれか一項に記載の光学素子と、反射部と、光源と、筐体とを有する照明装置。
【発明の詳細な説明】
【技術分野】
【０００１】
本発明は、光源の配光分布を変更するフレネルレンズ光学系に関するものである。
【背景技術】
【０００２】
フレネルレンズに関する技術として、例えば、特許文献１に記載のものが知られている。
【先行技術文献】
【特許文献】
【０００３】
【特許文献１】特開２０１３−１９０７８８号公報
【発明の概要】
【発明が解決しようとする課題】
【０００４】
シーリングライトやベース照明等の照明装置の光源として、環境への配慮や低消費電力化のために、従来の蛍光灯や白熱電球に代えてＬＥＤ（Light  Emitting Diode、発光ダイオード）が使用されつつある。ＬＥＤ光源は、従来の蛍光灯や白熱電球と異なる配光分布を有しており、光源の正面に向かって最も光度が高く、直交する方向、すなわち水平な方向に向かっては非常に暗い特徴がある。このように、ＬＥＤは指向性が高い光源であることから、従来の照明器具に搭載した際に、光り方が違うために、異なった照明環境になってしまう懸念がある。
【０００５】
従来のスポットライトやビーム電球では、白熱電球のように、フィラメントが発光する光源と、発光光束を集光する鏡面ミラーとレンズを組み合わせて光学系が構成されていた。この光学系を用いて、光源をＬＥＤに置き換えた場合、白熱電球とＬＥＤ光源の指向性が異なることから、適切な配光分布が得られず、かつ効率も低くなる課題がある。この課題を解決するためには、新規に専用の光学系を開発する必要がある。
【０００６】
たとえば、光源の発光光束を集光する方式として、フレネルレンズを利用した光学系がある。フレネルレンズは、レンズ表面を同心円上の輪帯で裁断し、略平面に落とし込んだ形状をしている。それぞれの輪帯で光線が屈折され、レンズ効果を得る仕組みになっている。
【０００７】
上記特許文献１では、光源からの光の方向を変える光学素子であって、該光学素子の中心の周りの屈折レンズ部とその外側の反射体部を備え、該屈折レンズ部は該光源からの光を屈折させて前方に照射し、該反射体部は、該光源からの光を全反射させて前方に照射させるように構成され、該光学素子の中心と該光源の中心を結ぶ線を光軸として、該屈折レンズ部の該中心付近の焦点距離は、該光源の中心位置までの光軸上の距離よりも小さく、該屈折レンズ部の周縁部分の焦点距離は、該光源の中心位置までの光軸上の距離よりも大きくなるように構成された光学素子を開示している。
【０００８】
上記特許文献１に記載の構成では、屈折レンズ部の該中心付近の焦点距離は、該光源の中心位置までの光軸上の距離よりも小さく、該屈折レンズ部の周縁部分の焦点距離は、該光源の中心位置までの光軸上の距離よりも大きいため、出射光束は、屈折レンズ部の中心付近では集光し、周縁部では発散する分布になる。この構成では、中心付近の集光する光束は、出射面から十分に離れた位置では光源の結像位置を越えて発散光束となる。光線を集光する方向に屈折させる場合、屈折角度が大きいほど、入射面と入射光線の角度が浅くなり、フレネル反射が発生しやすく、透過率が低下するため最大光度が低下してしまう。つまり、屈折レンズ部の内側では屈折角度が大きいため、光学素子の入射面と入射光線の角度が浅くなり、フレネル反射が発生しやすく、透過率が低下するため最大光度が低下してしまう課題がある。また、屈折レンズ部の外側に集光機能を有する反射体部を設けることで最大光度を向上できるが、反射体部が追加される光学素子が大きくなってしまう課題がある。
【０００９】
本発明は、上記従来技術の課題に鑑みて為されたものであり、その目的は、光源からの光束を集光させながら、高効率で最大光度が高い光学系を提供することにある。
【課題を解決するための手段】
【００１０】
上記課題は、例えば、特許請求の範囲に記載の発明により解決される。
【００１１】
より具体的には、本発明に係る光学系は、光源に対向するよう配置され、複数の溝状の輪帯を備えた光学素子において、
各輪帯は入射面と、出射面に対して略垂直な側面とで構成され、前記各輪帯の入射面の立ち上がり角度が、光学素子の中央の輪帯では小さく、外周側に存在する輪帯では大きくなるように変化する第一の領域を備え、該第一の領域の外側に存在する、最も中央側の輪帯の入射面の立ち上がり角度が、第一の領域の最外周の輪帯の入射面の立ち上がり角度よりも小さい光学素子である。
【発明の効果】
【００１２】
本発明によれば、光源からの光束を集光させながら、高効率で最大光度が高い光学系を提供できる。
【図面の簡単な説明】
【００１３】
【図１】本発明に係る光学素子を搭載した照明装置の一例を示す断面図。
【図２】本発明に係る光学素子を示す俯瞰図。
【図３】本発明に係る光学素子の断面図。
【図４】本発明に係る光学素子の輪帯の断面図。
【図５】本発明に係る光学素子の輪帯と光路の一例。
【図６】本発明に係る光学素子の輪帯の断面図。
【図７】第一の実施例に係る光学素子の輪帯の入射面の傾斜角度の分布の一例。
【図８】第二の実施例に係る光学素子の輪帯の入射面の傾斜角度の変化率分布の一例。
【発明を実施するための形態】
【００１４】
以下、本発明の実施の形態について、添付の図面を参照して説明する。
【００１５】
実施の形態では、光学素子の各輪帯の入射面の立ち上がり角度が、光学素子の中央側が小さく、外周側の方が大きくなるように変化する領域と、最外周に至るまでの間に、隣り合う輪帯であって、外周側の入射面の方が中央側の入射面よりも立ち上がり角度が小さくなる箇所が存在する構成によって、所望のビーム角度に狭めながら、最大光度が高い配光分布を得るために好適な技術について説明する。
【００１６】
なお、以下の説明は、本発明の一実施形態を説明するためのものであり、本発明の範囲を制限するものではない。従って、当業者であればこれらの各要素若しくは全要素をこれと同等なものに置換した実施形態を採用することが可能であり、これらの実施形態も本発明の範囲に含まれる。
【実施例１】
【００１７】
図１、図２、図３、図４、図５を用いて、第一の実施例を説明する。ここで、図１は、本発明に係る光学素子を搭載した照明装置の一例の断面図を示している。図１では、光源基板１１、反射手段２、光学素子３、筐体４、ソケット５から構成された照明装置を示している。
【００１８】
筐体４は、剛性が高い構造になっており、光源基板１１、反射手段２、光学素子３を支持している。筐体４は、光源基板１１に電力を供給するための電源回路を有しており、ソケット５に供給された電力を光源１に適切に配分するための回路を持つ。筐体４は、光源基板１１、および電源からの熱を逃がす構成となっており、放熱性が高い素材で出来ている。場合によっては、放熱性の塗料を表面に塗布していても良い。
【００１９】
光源基板１１は、少なくとも一つ以上の光源１を搭載している。光源１には、例えばＬＥＤを用いることができ、光源１に対向するように配置される光学素子３に向けて光束を出射させる。光源１には様々な種類の光源を選ぶことができるが、例えば白色光を出射する白色ＬＥＤを用いることができる。
【００２０】
白色ＬＥＤの構成の一例を説明する。電力を受けて青色光を発光するＬＥＤチップと、該ＬＥＤチップからの青色光のエネルギーを受けて励起され、緑色から赤色にかけた波長領域のスペクトルで発光する蛍光体から構成されている。蛍光体は、ＬＥＤチップを封止するための樹脂に混ぜられていても良い。また、蛍光体は、赤色と、緑色の光を発光するような、複数の蛍光体を混ぜ、それらが励起して発光した際に黄色に見える発光スペクトルを有するようにすることもできる。当然、蛍光体の発光スペクトルを変更して異なる色温度で発光するように調整されていても良い。さらに、１つのＬＥＤにおいて、複数の発光チップを搭載した大光量タイプのＬＥＤを利用してもよい。複数のＬＥＤチップを搭載したＬＥＤでは、ＬＥＤの発光面（光放出面）の中心を規準にして対称となるように、ＬＥＤチップを例えば矩形状、同心円状に配置することが好ましいが、配置はこれに限定されるものではない。
【００２１】
また光源１には、配光の調整や光の取り出し効率を改善するためのレンズやリフレクタなどの光学部品が備えられていてもよい。かかる光学部品として、例えば、透過性を有する材質で成形された凸レンズや、金属蒸着されたミラー、あるいは全反射を利用したリフレクタをチップ周辺部に設けるなどの構成をとることができる。
【００２２】
光源１は光源基板１１に実装される。図１では光源基板１１上に、側面からは光源が３つ確認される構成を図示しているが、必要に応じて複数の光源１が実装されてよく、光源１の個数は制限されない。
【００２３】
また光源基板１１は、光源１の他に、供給される電力を、所望の電力に調整して光源１に供給するための駆動回路（ドライバ）と配線、または光源１への電流量、あるいは電圧を制御するための制御回路などの電子部品や電気回路と接続されている。
【００２４】
光源１は、異なる性能を有する光源１が複数配置されていても良い。例えば、発光色が異なる光源１を複数有し、それぞれの発光色で独立した系統の回路で駆動できる構成とすれば、それぞれの系統に入力する電力を制御することによって、それぞれの光源１から出射する発光色ごとに光量を調整することが出来るようになるので、出射光の発光色を調整可能な光学系、および照明装置を提供できる。
光源基板１の表面の光学特性は、吸収が少ないことが望ましい。
【００２５】
反射手段２は、光源１から光学素子３に直接到達しない光束を反射させ、光学素子３に到達させて出射させる機能を有する。反射手段２は、反射特性を持つ素材で構成されている。素材には、例えば、鏡面を持つ金属製、あるいは誘電体多層膜で構成されるミラーであってもよいし、白色の拡散特性を有する樹脂や、表面に微細な凹凸がある金属面であってもよい。反射手段２は、一般的にわずかではあるものの吸収特性を有するため、照明装置の出射効率を高めるためには、光源１から出射する光束は直接光学素子３に入射させることが望ましい。反射手段２の形状は、光源基板１１側が小さく、光学素子３側に向かって広がっている形状であり、円錐面であっても良いし、曲面であってもよい。
【００２６】
このような形状であれば、反射手段２によって反射した光束は、光学素子３に向かう光束が増加するため、光源１から出射した光束を効果的に光学素子３に導くことができ、照明装置としての効率を高める効果を発揮する。
【００２７】
図２、図３を用いて光学素子３について説明する。
【００２８】
図２は、光学素子３の俯瞰図、図３は光学素子３の断面図である。
【００２９】
光学素子３は、中央にレンズ３１が設けられ、少なくとも１つ以上の輪帯３２を備える。光学素子３の材質は透明であり、例えば樹脂やガラスなどで成型される。成型方法には、金型を用いた射出成型を利用することが出来る。
【００３０】
輪帯３２は略同心円上に配置され、溝状になっている。レンズ３１と複数の輪帯３２によって、光源１からの光束を屈折し、所望の配光で出射させる。
【００３１】
照明装置に使用する際には、メンテナンス性質の観点から、レンズ３１、輪帯３２の形状は光源１側に成型される。また光学素子３には、筐体と組み付けるための保持部、例えば爪や位置決めのダボを設けていても良い。
【００３２】
図４は輪帯３２の構成を示しており、入射面３２１、側面３２２から構成されている。
【００３３】
図５は、輪帯３２に到達した、光源１からの光線６の光路を示している。入射面３２１に入射した光線６は、入射面３２１で屈折され、光学素子３の内部を透過して出射面３３に導かれ、出射面３３で再度屈折することによって、出射面３３から出射する。
【００３４】
この出射角度は、光源１から輪帯３２に向かう光線６の出射角度と、輪帯３２の入射面の傾斜角度αkによって決まる。ここで、αkは中央から数えてk番目（kは自然数）の輪帯３２の入射面３２１の傾斜角度を示しており、光線６がk番目の輪帯３２に入射した例として説明している。
【００３５】
側面３２２は傾斜が急であり、出射面３３に対して略垂直になっている。出射面３３の法線に対する傾斜角度をβkとしたとき、βkは大きければ成型時の金型から外れやすく、製造性が良好である。
【００３６】
入射面３２１、側面３２２の切り替わり部には、製造方法によってはＲが付いてしまう。金型で成型する場合、金型の寿命を長くするためには、製造時に金型の欠けを防ぐためＲを設けたほうが良く、光学性能を優先する場合には、光線が乱れる原因となるためＲは極力小さくすることが望ましい。これは、製造能力、および光学素子３に求める光学特性によって適宜選択すればよい。
【００３７】
図６を用いて、第一の実施例について説明する。
【００３８】
本実施例は、図６に示すように、光源に対向するよう配置され、複数の溝状の輪帯３２を備えた光学素子３において、各輪帯３２は入射面３２１と、出射面３３に対して略垂直な側面３２２とで構成され、前記各輪帯３２の入射面３２１の立ち上がり角度が、光学素子３の中央の輪帯３２では小さく、外周側に存在する輪帯３２では大きくなるように変化する第一の領域７１を備え、該第一の領域７１の外側に存在する、最も中央側の輪帯３２の入射面３２１の立ち上がり角度が、第一の領域７１の最外周の輪帯３２の入射面３２１の立ち上がり角度よりも小さい光学素子３を示している。
【００３９】
図７に本実施例の各輪帯３２の入射面の傾斜角度の分布を示す。横軸は、光学素子３上の位置で、光源から見込んだ方向である。本実施例では、第一の領域７１では、輪帯３２の傾斜角度が単調増加する構成になっており、中央側の第一の領域７１では集光効果を持たせ、第一の領域７１の外周側の輪帯３２が存在する第二の領域７２では、第一の領域よりも集光効果を弱め、入射面３２１の傾斜角度を、第一の領域７１の最外周の輪帯３２の入射面３２１の傾斜角度よりも小さくして、輪帯３２の幅が小さくなることを防ぐ構成になっている。
【００４０】
光源１から第二の領域７２のように比較的外周側の輪帯３２に到達する入射光は、出射面３３に対して比較的浅い角度で輪帯３２に向かう。入射面３２１に対しても浅い角度で入射する位置関係である。入射角度が浅ければ、屈折率が異なる界面でフレネル反射が発生してしまうため、入射面３２１に透過できる光束が現象してしまう。その結果、光学素子３の出射効率が低下する。また、入射面３２１で屈折させ意図した方向に出射させようとした光束が減ってしまうため、光学素子３の配光を変換する効果が低下してしまう。
【００４１】
また、光線の方向を変更する角度が大きいほど、入射面３２１の傾斜角度は大きくなる性質があるため、第二の領域７２では出射角度を狭めて集光させようとすると、入射面３２１の傾斜角度が大きくなる。入射面３２１の傾斜角度が大きくなり立ち上がると輪帯３２の幅が狭くなる、あるいは輪帯３２の深さが深くなってしまうため、金型形状の転写性の低下などで、意図した形状に仕上げることが難しくなる。すなわち、第二の領域７２では集光機能が強い輪帯３２を成型しようとすると、製造が非常に難しい。
【００４２】
本実施例の構成であれば、上記の課題を解決できるため、出射効率が高い光学素子３を提供できる。
【実施例２】
【００４３】
図８を用いて、第二の実施例を説明する。
【００４４】
本実施例に係る光学素子３は、光源１に対向するよう配置され、複数の溝状の輪帯３２を備えた光学素子３において、各輪帯３２は入射面３２１と、出射面３３に対して略垂直な側面３２２とで構成され、前記各輪帯３２の入射面３２１の立ち上がり角度が、光学素子３の中央の輪帯３２では小さく、外周側に存在する輪帯３２では大きくなるように変化する第一の領域７１を備え、該第一の領域７１の外側に存在する、最も中央側の輪帯３２の入射面３２１の立ち上がり角度が、第一の領域７１の最外周の輪帯３２の入射面３２１の立ち上がり角度よりも小さいことを特徴とする光学素子３であって、第一の領域７１の内部において、隣り合う輪帯３２の入射角度の変化率が正方向のピーク８を持つことを特徴とする光学素子である。
【００４５】
光学素子３の外側の領域で配光を広げようとすると、光源１から輪帯３２に向かう光線が光学素子３の対称軸に対して角度がついているため、正面方向に向かう光束が少ない。そのため、正面に向かう光束が減るためリング状の配光分布になる傾向があり、配光分布を十分に狭めなければ起伏が発生する。
【００４６】
本実施例の構成であれば、上記の課題を解決することが可能である。第一の領域７１の内側の領域７１１が、外側の領域７１２よりも輪帯３２の入射面３２１の傾斜角度を浅くすることができ、中央側の領域７１１に入射した光束はリング状の配光分布になることなく比較的広い配光分布にすることが出来る。また、第一の領域７１の外側の領域７１２では、正面側に比較的強く集光させることが出来るため最大光度を高くできる。第二の領域７２では、輪帯３２の入射角度は浅く、輪帯３２の幅は比較的大きいので、出射効率は高い。したがって、本実施例の構成であれば、出射効率が高く、起伏がない良好な配光特性を有する光学素子３を提供できる。特に、配光分布の起伏を抑えるために配光を狭めなければならない制約を緩和するために好適な構成である。
【実施例３】
【００４７】
本実施例に係る光学素子３は、第１から２の実施例に記載のいずれかの光学素子３であって、出射面３３にシボ加工が施されている光学素子３である。
【００４８】
本実施例の光学素子３は、透過率を高めるために入射面３２１の傾斜角度が浅く、輪帯３２の幅が大きくなる。そのため、光源１からの一つの輪帯３２に入射し、光学素子３から出射する光束は、少なくとも光学素子３の出射面３３の近傍では、略輪帯３２の幅のリング状の光束となっている。出射面３３から十分に離れた位置を照射した場合には、配光分布に従った滑らかな照度分布になるが、十分に離れていない場合には、出射面３３上のリン状の照度ムラが残る場合がある。本実施例の構成であれば、それぞれの輪帯３２による出射面３３上のリング状の照度分布が、光学素子３の表面３３のシボによってぼけるため、照射面が出射面３３から近くであっても、滑らかな配光分布の光学素子３を提供できる。
【実施例４】
【００４９】
本実施例に係る光学素子３は、第１から３の実施例に記載のいずれかの光学素子３であって、輪帯３２の断面が直線で構成されている光学素子３である。
【００５０】
本実施例の光学素子３であれば、ある一つの輪帯３２は、光源１を結像しない。したがって、光学素子３の出射光束が光源１の像を結ぶことが緩和され、照射面に光源１の配置、もしくは光源１の発光強度の分布を照射面に映し出さない滑らかな照度分布の光学素子３を提供することが出来る。
【実施例５】
【００５１】
本実施例に係る照明装置は、図１に示すように、第１から４に記載のいずれかの光学素子３と、反射部２と、光源１と、筐体４から構成される照明装置である。
【００５２】
本実施例の照明装置であれば、上述の実施例の光学素子３の特性を持つ照明装置を構成でき、特に光源１からの光束を集光し、配光を狭くする照明装置において、滑らかでかつ起伏がない良好な配光分布を保ちながら、高い最大光度の照明装置を提供できる。
【００５３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５４】
１…光源、１１…光源基板、２…反射手段、３…光学素子、３１…レンズ、３２…輪帯、３２１…入射面、３２２…側面、３３…出射面、４…筐体、５…ソケット、６…光線、７１…第一の領域、７１１…第一の領域の内側の領域、７１２…第一の領域の外側の領域、７２…第二の領域、８…入射面の傾斜角度の変化率のピーク
【図１】
0006591152.tif 000002
【図２】
0006591152.tif 000003
【図３】
0006591152.tif 000004
【図４】
0006591152.tif 000005
【図５】
0006591152.tif 000006
【図６】
0006591152.tif 000007
【図７】
0006591152.tif 000008
【図８】
0006591152.tif 000009